【手続補正書】
【提出日】平成19年3月14日(2007.3.14)
【手続補正１】
【補正対象書類名】明細書
【補正対象項目名】特許請求の範囲
【補正方法】変更
【補正の内容】
【特許請求の範囲】
【請求項１】
アルコキシシラン構成単位を有するポリウレタン溶液であって、該ポリウレタン溶液が、
ａ）５００〜１６,０００の分子量を有する少なくとも２官能性のポリオール少なくとも１つ、
ｂ）１４０〜１,５００の分子量を有する少なくとも２官能性のポリイソシアネート少なくとも１つ、
ｃ）３２〜５００の分子量を有する少なくとも２官能性の低分子量アルコールおよび／またはアミン少なくとも１つ、
ｄ）少なくとも１つのアルコキシシラン基およびイソシアネート反応性基を有する化合物少なくとも１つ、および
ｅ）任意に、アミノ基、アルコール基またはオキシム基を有する単官能性物質
の有機溶液中での反応生成物であり、
成分ｄ）からの停止剤の当量が、ｄ）およびｅ）からの停止剤の合計量の少なくとも５０％であることを特徴とするポリウレタン溶液。
【手続補正２】
【補正対象書類名】明細書
【補正対象項目名】００２５
【補正方法】変更
【補正の内容】
【００２５】
他の好ましい実施態様では、親水性ポリオール（例えば、エチレンオキシドポリエーテル、エチレンオキシド／プロピレンオキシドポリエーテル、またはトリエチレングリコールまたはテトラエチレングリコールおよびジカルボン酸をベースとするポリエステル）を成分ａ）として、これらを用いて製造される塗料が水蒸気透過性であるような量で使用する。ポリウレタンは、好ましくは、ポリウレタン固形分合計を基準に成分ａ）として１０〜６０質量％の親水性ポリオールおよび２３〜５０質量％の非親水性ポリオールを含み、該成分ａ）の合計量はポリウレタン固形分合計の９２質量％以下である。
【手続補正３】
【補正対象書類名】明細書
【補正対象項目名】００４９
【補正方法】変更
【補正の内容】
【００４９】
１つの変法において、成分ａ）、ｂ）および任意であるｃ）のすべての１段階反応を、通常適当な溶媒の存在下で行い、イソシアネート官能性高分子量ポリウレタンを得ることができ、任意に、要求される特性を達成するために必要な望ましい粘度、即ち分子量を、少量のポリイソシアネートｂ）および／または低分子量２官能性成分ｃ）を次いで添加することにより達成し、次いで連鎖停止反応を、モノアミノ官能性アルコキシシランを添加することにより行う。モノアミノ官能性アルコキシシランを好ましくは、この変法において０.３〜１.３質量％の量で使用する。
【手続補正４】
【補正対象書類名】明細書
【補正対象項目名】００７２
【補正方法】変更
【補正の内容】
【００７２】
この結果は特に驚くべきことである。なぜなら、塗膜の高水準の機械的特性（特に、非常に高い伸長性または弾性）、非常に良好な耐加水分解性および高融点をあわせ持つことは、先行技術のポリウレタン溶液では達成できなかったからである。
本発明の好適な実施態様には、以下のものが含まれる。
〔１〕アルコキシシラン構成単位を有するポリウレタン溶液であって、該ポリウレタン溶液が、
ａ）５００〜１６,０００の分子量を有する少なくとも２官能性のポリオール少なくとも１つ、
ｂ）１４０〜１,５００の分子量を有する少なくとも２官能性のポリイソシアネート少なくとも１つ、
ｃ）３２〜５００の分子量を有する少なくとも２官能性の低分子量アルコールおよび／またはアミン少なくとも１つ、
ｄ）少なくとも１つのアルコキシシラン基およびイソシアネート反応性基を有する化合物少なくとも１つ、および
ｅ）任意に、アミノ基、アルコール基またはオキシム基を有する単官能性物質
の有機溶液中での反応生成物であり、
成分ｄ）からの停止剤の当量が、ｄ）およびｅ）からの停止剤の合計量の少なくとも５０％であることを特徴とするポリウレタン溶液。
〔２〕ポリウレタン溶液が、
ａ）５００〜１６,０００の分子量を有する少なくとも２官能性のポリオール少なくとも１つを４０〜９２質量％、
ｂ）１４０〜１,５００の分子量を有する少なくとも２官能性のポリイソシアネート少なくとも１つを７〜５０質量％、
ｃ）３２〜５００の分子量を有する少なくとも２官能性の低分子量アルコールおよび／またはアミン少なくとも１つを０.５〜２０質量％、
ｄ）少なくとも１つのアルコキシシラン基およびイソシアネート反応性基を有する化合物少なくとも１つを０.１〜５質量％、および
ｅ）任意に、アミノ基、アルコール基またはオキシム基を有する単官能性物質
の有機溶液中での反応生成物であり、
成分ｄ）からの停止剤の当量が、ｄ）およびｅ）からの停止剤の合計量の少なくとも７５％であることを特徴とする上記〔１〕に記載のアルコキシシラン構成単位を有するポリウレタン溶液。
〔３〕ポリウレタン溶液が、
ａ）５００〜１６,０００の分子量を有する少なくとも２官能性のポリオール少なくとも１つを４７〜８８質量％、
ｂ）１４０〜１,５００の分子量を有する少なくとも２官能性のポリイソシアネート少なくとも１つを１０〜４０質量％、
ｃ）３２〜５００の分子量を有する少なくとも２官能性の低分子量アルコールおよび／またはアミン少なくとも１つを０.８〜１７質量％、
ｄ）アルコキシシラン基およびイソシアネート反応性基を有する化合物０.２〜３.０質量％、および
ｅ）アミノ基、アルコール基またはオキシム基を有する単官能性物質０〜０.５質量％
の有機溶液中での反応生成物であり、
成分ｄ）からの停止剤の当量が、ｄ）およびｅ）からの停止剤の合計量の少なくとも９５％であることを特徴とする上記〔１〕に記載のアルコキシシラン構成単位を有するポリウレタン溶液。
〔４〕成分ａ）が、９００〜２,５００の分子量を有するポリカーボネートジオールを少なくとも５０質量％で含むことを特徴とする上記〔１〕に記載のアルコキシシラン構成単位を有するポリウレタン溶液。
〔５〕ポリウレタン溶液が、ポリウレタン固形分合計を基準に成分ａ）として１０〜６０質量％の親水性ポリオールおよび２３〜５０質量％の非親水性ポリオールを含み、成分ａ）の合計量がポリウレタン固形分合計の９２質量％以下であることを特徴とする上記〔１〕に記載のアルコキシシラン構成単位を有するポリウレタン溶液。
〔６〕ポリウレタン溶液が、成分ｂ）として、イソホロンジイソシアネートを含む脂肪族または脂環式ジイソシアネートのみを少なくとも７５質量％で含むことを特徴とする上記〔１〕に記載のアルコキシシラン構成単位を有するポリウレタン溶液。
〔７〕ポリウレタン溶液が、成分ｂ）として２,４-または２,６-ジイソシアナトトルエンおよび／または４,４'-ジイソシアナトジフェニルメタンのみを含むことを特徴とする上記〔１〕に記載のアルコキシシラン構成単位を有するポリウレタン溶液。
〔８〕ポリウレタン溶液が、成分ｂ）としてアロファネート基を有するジイソシアネートを含むことを特徴とする上記〔１〕に記載のアルコキシシラン構成単位を有するポリウレタン溶液。
〔９〕ポリウレタン溶液が、成分ｃ）として、塩形態の基を２〜１６質量％の量で有する親水性２官能性化合物を含むことを特徴とする上記〔１〕〜〔３〕のいずれかに記載のアルコキシシラン構成単位を有するポリウレタン溶液。
〔１０〕ポリウレタン溶液が、親水性成分ｃ）を親水性ポリオールａ）と共に含むことを特徴とする上記〔１〕に記載のアルコキシシラン構成単位を有するポリウレタン溶液。
〔１１〕ポリウレタン溶液が、連鎖延長剤として２質量％までの量でアルコキシシラン基を有するジアミノ官能性成分ｃ）を含むことを特徴とする上記〔１〕に記載のアルコキシシラン構成単位を有するポリウレタン溶液。
〔１２〕ポリウレタン溶液が、成分ｃ）としてヒドラジン（水和物）、アジピン酸ジヒドラジドおよび／またはプロピレンカーボネート２モルとヒドラジン１モルとの反応生成物を０.１〜１.５質量％の量で含むことを特徴とする上記〔１〕に記載のアルコキシシラン構成単位を有するポリウレタン溶液。
〔１３〕ポリウレタン溶液が、イソシアネート反応性基および少なくとも１つのアルコキシシラン基を有する化合物０.３〜１.３質量％を含むことを特徴とする上記〔１〕に記載のアルコキシシラン構成単位を有するポリウレタン溶液。
〔１４〕ポリウレタン溶液が、アスパラギン酸エステル構造を有し、モノアミノ官能性アルコキシシランと０.５〜１.１当量のマレイン酸アルキルエステルとのモノアミノ官能性反応生成物を、成分ｄ）として含むことを特徴とする上記〔１〕に記載のアルコキシシラン構成単位を有するポリウレタン溶液。
〔１５〕ポリウレタン溶液の固形分に対する-Ｓｉ-(Ｏ-)3-構成単位の計算含有量が、１.２質量％未満であることを特徴とする上記〔１〕に記載のアルコキシシラン構成単位を有するポリウレタン溶液。
〔１６〕ポリウレタン溶液が、成分ｄ）として０.３〜１.３質量％の量でモノアミノ官能性アルコキシシランを、０.１〜２.０質量％のジアミノ官能性アルコキシシラン成分ｃ）と共に含み、末端アルコキシシラン基の量が、導入されたすべてのアルコキシシラン基の少なくとも５０質量％であることを特徴とする上記〔１〕に記載のアルコキシシラン構成単位を有するポリウレタン溶液。
〔１７〕最初にイソシアネート官能性ポリウレタンを１段階または２段階反応で、少なくとも１つのポリオールａ）および少なくとも１つの２官能性ポリイソシアネートｂ）から、任意に低分子量成分ｃ）を同時使用して製造し、次いで任意に、さらなる反応工程において少なくとも２官能性の成分ｃ）を用いる反応により分子量をさらに増大させ、最終反応工程においてアルコキシシラン基およびイソシアネート反応性基を有する少なくとも１つの化合物ｄ）と、任意に単官能性成分ｅ）を同時使用して反応させて、遊離イソシアネート基を有さないアルコキシシラン構成単位含有高分子量ポリウレタンを製造し、得られるアルコキシシラン末端基含有ポリウレタン溶液が９〜６５質量％の固形分を有するような量で有機溶媒を、最初の反応工程前、工程中または工程後のいずれかで添加することを特徴とする上記〔１〕に記載のアルコキシシラン構成単位を有するポリウレタン溶液の製造方法。
〔１８〕任意に適当な溶媒の存在下で成分ａ）、ｂ）および任意にｃ）の１段階反応を行ってイソシアネート官能性高分子量ポリウレタンを製造し、任意に、要求される特性を達成するために必要な望ましい粘度、即ち分子量を、少量のポリイソシアネートｂ）および／または低分子量２官能性成分ｃ）を次いで添加することにより達成し、次いで連鎖停止反応をモノアミノ官能性アルコキシシランｄ）を添加することにより行うことを特徴とする上記〔１〕に記載のアルコキシシラン構成単位を有するポリウレタン溶液の製造方法。
〔１９〕ペイント、塗料、シーラントおよび／または接着剤での上記〔１〕に記載のアルコキシシラン構成単位を有するポリウレタン溶液の使用。
〔２０〕プラスチックをペイントおよび／または塗装するための上記〔１〕に記載のアルコキシシラン構成単位を有するポリウレタン溶液の使用。
〔２１〕織物および皮革を塗装するための上記〔１〕に記載のアルコキシシラン構成単位を有するポリウレタン溶液の使用。
〔２２〕水蒸気を透過できる織物用塗料での上記〔１〕に記載のアルコキシシラン構成単位を有するポリウレタン溶液の使用。